(57)【要約】【課題】信号の漏れによる不具合を招くことなく、アンテナ素子の個数を低減することが可能な情報処理装置を実現する。【解決手段】第１無線通信モジュール１２３および第２無線通信モジュール１２４は、ケーブル１Ａ，１Ｂを介して第１の送受信用アンテナ素子１および第２の送受信用アンテナ素子２にそれぞれ接続されている。また第１無線通信モジュール１２３および第２無線通信モジュール１２４は、分配器１２５を介して受信用アンテナ素子３に接続されている。このように、受信用アンテナ素子３のみを共用し、第１無線通信モジュール１２３と第１の送受信用アンテナ素子１との間、および第２無線通信モジュール１２４と第４の送受信用アンテナ素子２との間は、それぞれ直接的に接続することにより、一方の無線通信モジュールからの送信信号が他方の無線通信モジュールに入る込むことを防止することができる。【選択図】      図１
2008160421.tif 000002
【特許請求の範囲】
【請求項１】
第１の送受信用アンテナ素子と、
第２の送受信用アンテナ素子と、
受信用アンテナ素子と、
前記第１の送受信用アンテナ素子に接続された第１の無線通信モジュールと、
前記第２の送受信用アンテナ素子に接続された第２の無線通信モジュールと、
前記受信用アンテナ素子、前記第１の無線通信モジュール、および前記第２の無線通信モジュールにそれぞれ接続され、前記受信用アンテナ素子からの信号を前記第１の無線通信モジュールおよび前記第２の無線通信モジュールに分配する分配器とを具備することを特徴とする情報処理装置。
【請求項２】
前記第１の無線通信モジュールは前記第１の送受信用アンテナ素子にそれぞれ接続された第１の送信部および第１の受信部を含み、前記第１の受信部はさらに前記分配器を介して前記受信用アンテナ素子に接続されており、
前記第２の無線通信モジュールは前記第２の送受信用アンテナ素子にそれぞれ接続された第２の送信部および第２の受信部を含み、前記第２の受信部はさらに前記分配器を介して前記受信用アンテナ素子に接続されていることを特徴とする請求項１記載の情報処理装置。
【請求項３】
前記第１の無線通信モジュールは第１の周波数帯域の無線信号を送受信するように構成され、且つ前記第２の無線通信モジュールは前記第１の周波数帯域よりも高い第２の周波数帯域の無線信号を送受信するように構成され、
前記分配器は、
前記受信用アンテナ素子からの信号の内で前記第１の周波数帯域の上限値以下の周波数成分を通過させて前記第１の無線通信モジュールに出力するローパスフィルタと、前記受信用アンテナ素子からの信号の内で前記第２の周波数帯域の下限値以上の周波数成分を通過させて前記第２の無線通信モジュールに出力するハイパスフィルタとを含むことを特徴とする請求項１記載の情報処理装置。
【請求項４】
第３の送受信用アンテナ素子をさらに具備し、
前記第２の無線通信モジュールの前記第２の送信部および前記第２の受信部の各々は、前記第２の送受信用アンテナ素子および前記第３の送受信用アンテナ素子にそれぞれ接続されていることを特徴とする請求項１記載の情報処理装置。
【請求項５】
ベースユニットと、
前記ベースユニットにヒンジ部を介して支持され、前記ベースユニットの上面が露出される開放位置と前記ベースユニットの上面を覆う閉塞位置との間を回動可能なディスプレイユニットと、
前記ディスプレイユニット内に配置された第１の送受信用アンテナ素子と、
前記ディスプレイユニット内に配置された第２の送受信用アンテナ素子と、
前記ディスプレイユニット内に配置された受信用アンテナ素子と、
前記ベースユニット内に設けられた第１の無線通信モジュールであって、第１の送信部および第１の受信部を含み、前記第１の送信部および前記第１の受信部が第１のケーブルを介して前記第１の送受信用アンテナ素子にそれぞれ接続された第１の無線通信モジュールと、
前記ベースユニット内に設けられた第２の無線通信モジュールであって、第２の送信部および第２の受信部を含み、前記第２の送信部および前記第２の受信部が第２のケーブルを介して前記第２の送受信用アンテナ素子にそれぞれ接続された第２の無線通信モジュールと、
前記ベースユニット内に設けられた分配器であって、前記受信用アンテナ素子に第３のケーブルを介して接続され、前記第１の無線通信モジュールの前記第１の受信部に第４のケーブルを介して接続され、前記第２の無線通信モジュールの前記第２の受信部に第５のケーブルを介して接続され、前記受信用アンテナ素子からの信号を前記第３のケーブルを介して受け取り、前記受け取った信号を前記第４のケーブルおよび前記第５のケーブルを介して前記第１の無線通信モジュールの前記第１の受信部および前記第２の無線通信モジュールの前記第２の受信部に分配する分配器とを具備することを特徴とする情報処理装置。
【請求項６】
前記第１ケーブル、前記第２のケーブル、および前記第３のケーブルは、前記ヒンジ部内の開口を通して前記ベースユニット内から前記ディスプレイユニット内にそれぞれ導出されていることを特徴とする請求項５記載の情報処理装置。
【請求項７】
前記第１の無線通信モジュールは第１の周波数帯域の無線信号を送受信するように構成され、且つ前記第２の無線通信モジュールは前記第１の周波数帯域よりも高い第２の周波数帯域の無線信号を送受信するように構成され、
前記分配器は、
前記受信用アンテナ素子からの信号の内で前記第１の周波数帯域の上限値以下の周波数成分を通過させて前記第１の受信部に出力するローパスフィルタと、前記受信用アンテナ素子からの信号の内で前記第２の周波数帯域の下限値以上の周波数成分を通過させて前記第２の受信部に出力するハイパスフィルタとを含むことを特徴とする請求項５記載の情報処理装置。
【発明の詳細な説明】
【技術分野】
【０００１】
本発明は無線通信機能を有する例えばパーソナルコンピュータのような情報処理装置に関する。
【背景技術】
【０００２】
近年、ノットブック型の様々な携帯型パーソナルピュータが開発されている。この種のパーソナルコンピュータは、外部デバイスとの無線通信を実行するための無線通信機能を有している。
【０００３】
最近では、様々な無線通信方式の普及に伴い、携帯型パーソナルコンピュータにおいても複数種の無線通信方式それぞれに対応する複数種の無線通信モジュールの搭載が要求され始めている。
【０００４】
しかし、もし複数種の無線通信モジュールそれぞれに対応する専用のアンテナを設けると、これらアンテナによって多くの実装スペースが占有されてしまうことになる。
【０００５】
特許文献１には、２本のアンテナを２つの無線モジュール間で共用するための２つの方法が開示されている。
【０００６】
第１の方法は、１本のアンテナを第１の無線機の送信部と第２の無線機の送受信部との間で共用し、もう１本のアンテナを第１の無線機の受信部で使用するというものである。第２の方法は、１本のアンテナを第１の無線機の送信部と第２の無線機の送受信部で共用し、もう１本のアンテナを第１の無線機の受信部と第２の無線機の送受信部で共用するというものである。
【特許文献１】特開２００１−２８５１１４号公報
【発明の開示】
【発明が解決しようとする課題】
【０００７】
しかし、特許文献１のように、共用アンテナに送信部を接続するという構成を採用すると、一方の無線機から他方の無線機に共用器を介して入り込む信号レベルが高くなってしまう。
【０００８】
すなわち、送信部からの送信信号の電力レベルは比較的大きいため、送信信号は共用器によって減衰されるものの、他方の無線機に入り込んでしまう。このような信号の漏れは、例えば無線通信速度の低下のような不具合を引き起こす可能性がある。
【０００９】
本発明は上述の事情を考慮してなされたものであり、信号の漏れによる不具合を招くことなく、アンテナ素子の個数を低減することが可能な情報処理装置を提供することを目的とする。
【課題を解決するための手段】
【００１０】
上述の課題を解決するため、本発明の情報処理装置は、第１の送受信用アンテナ素子と、第２の送受信用アンテナ素子と、受信用アンテナ素子と、前記第１の送受信用アンテナ素子に接続された第１の無線通信モジュールと、前記第２の送受信用アンテナ素子に接続された第２の無線通信モジュールと、前記受信用アンテナ素子、前記第１の無線通信モジュール、および前記第２の無線通信モジュールにそれぞれ接続され、前記受信用アンテナ素子からの信号を前記第１の無線通信モジュールおよび前記第２の無線通信モジュールに分配する分配器とを具備することを特徴とする。
【００１１】
また、本発明の情報処理装置は、ベースユニットと、前記ベースユニットにヒンジ部を介して支持され、前記ベースユニットの上面が露出される開放位置と前記ベースユニットの上面を覆う閉塞位置との間を回動可能なディスプレイユニットと、前記ディスプレイユニット内に配置された第１の送受信用アンテナ素子と、前記ディスプレイユニット内に配置された第２の送受信用アンテナ素子と、前記ディスプレイユニット内に配置された受信用アンテナ素子と、前記ベースユニット内に設けられた第１の無線通信モジュールであって、第１の送信部および第１の受信部を含み、前記第１の送信部および前記第１の受信部が第１のケーブルを介して前記第１の送受信用アンテナ素子にそれぞれ接続された第１の無線通信モジュールと、前記ベースユニット内に設けられた第２の無線通信モジュールであって、第２の送信部および第２の受信部を含み、前記第２の送信部および前記第２の受信部が第２のケーブルを介して前記第２の送受信用アンテナ素子にそれぞれ接続された第２の無線通信モジュールと、前記ベースユニット内に設けられた分配器であって、前記受信用アンテナ素子に第３のケーブルを介して接続され、前記第１の無線通信モジュールの前記第１の受信部に第４のケーブルを介して接続され、前記第２の無線通信モジュールの前記第２の受信部に第５のケーブルを介して接続され、前記受信用アンテナ素子からの信号を前記第３のケーブルを介して受け取り、前記受け取った信号を前記第４のケーブルおよび前記第５のケーブルを介して前記第１の無線通信モジュールの前記第１の受信部および前記第２の無線通信モジュールの前記第２の受信部に分配する分配器とを具備することを特徴とする。
【発明の効果】
【００１２】
本発明によれば、信号の漏れによる不具合を招くことなく、アンテナ素子の個数を低減することが可能となる。
【発明を実施するための最良の形態】
【００１３】
以下、図面を参照して本発明の実施形態を説明する。
【００１４】
図１には、本発明の一実施形態に係る情報処理装置の外観が示されている。この情報処理装置はバッテリ駆動可能な携帯型パーソナルコンピュータ１０として実現されている。
【００１５】
図１は、コンピュータ１０のディスプレイユニットを開いた状態における斜視図である。本コンピュータ１０は、ベースユニット１１と、ディスプレイユニット１２とから構成される。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１６】
ディスプレイユニット１２は、ヒンジ部１８Ａ，１８Ｂを介してベースユニット１１の後端部に支持されており、ベースユニット１１の上面が露出される開放位置とベースユニット１１の上面がディスプレイユニット１２によって覆われる閉塞位置との間を回動自由に取り付けられている。
【００１７】
ベースユニット１１は本コンピュータ１０の本体であり、薄い箱形の筐体を有してする。ベースユニット１１の上面にはキーボード１３、本コンピュータ１０をパワーオン／パワーオフするためのパワーボタン１４、およびタッチパッド１６などが配置されている。また、ベースユニット１１内部には、ＣＰＵ、メモリ、Ｉ／Ｏデバイス等の各種電子部品に加え、第１無線通信モジュール１２３、第２無線通信モジュール１２４、および分配器１２５が設けられている。
【００１８】
第１無線通信モジュール１２３は、例えば、３Ｇ携帯電話のような無線通信方式に従って外部デバイスとの無線通信を実行する無線通信モジュールである。第１無線通信モジュール１２３は、各種電子部品が実装されているシステム基板上に設けられたバススロットに接続される。３Ｇ携帯電話においては、例えば、800M〜2.2GHz程度の周波数帯域が用いられる。
【００１９】
このため、第１無線通信モジュール１２３が３Ｇ携帯電話に従った無線通信を実行する無線通信モジュール（３Ｇモジュール）として実現されている場合には、第１無線通信モジュール１２３は、例えば、800M〜2.2GHzの周波数帯域内に属する無線信号を用いて無線通信を実行する。
【００２０】
この第１無線通信モジュール１２３は、１本の送受信用アンテナと１本の受信用アンテナとを用いて無線通信を実行するように構成されている。この場合、無線信号の送受信は主として送受信用アンテナを用いて実行され、受信用アンテナは、例えば受信ダイバイシティ用途等のために、補助的に用いられる。送受信用アンテナがヌル点に位置するような場合であっても、受信用アンテナを用いることにより、無線信号の受信を行うことができる。
【００２１】
第２無線通信モジュール１２４は、例えば、無線ＬＡＮ(WLAN)のような無線通信方式に従って外部デバイスとの無線通信を実行する無線通信モジュールである。第２無線通信モジュール１２４は、システム基板上に設けられたバススロットに接続される。無線ＬＡＮにおいては、例えば、2.4GHz〜2.5GHzの周波数帯域、および5.15GHz〜5.74GHzの周波数帯域が用いられる。
【００２２】
このため、第２無線通信モジュール１２４が無線ＬＡＮ規格に従った無線通信を実行する無線通信モジュール（ＷＬＡＮジュール）として実現されている場合には、第２無線通信モジュール１２４は、2.4GHz〜2.5GHzの周波数帯域、または5.15GHz〜5.74GHzの周波数帯域内に属する無線信号を用いて無線通信を実行する。
【００２３】
第２無線通信モジュール１２４は、１本の送受信用アンテナと１本の受信用アンテナとを用いて無線通信を実行するように構成されている。この場合、無線信号の送受信は主として送受信用アンテナを用いて実行され、受信用アンテナは、例えば受信ダイバイシティ用途等のために、補助的に用いられる。送受信用アンテナがヌル点に位置するような場合であっても、受信用アンテナを用いることにより、無線信号の受信を行うことができる。
【００２４】
また、第２無線通信モジュール１２４がIEEE 802.11n規格に従った無線通信を実行する無線通信モジュールとして実現されているならば、第２無線通信モジュール１２４は、複数本、例えば２本の送受信用アンテナと、１本の受信用アンテナとを用いて無線通信を実行する。
【００２５】
本実施形態においては、必要なアンテナ本数を低減しつつ、一方の無線通信モジュールから他方の無線通信モジュールへの送信信号の入り込みを防止できるようにするために、受信用アンテナ素子のみを第１無線通信モジュール１２３と第２無線通信モジュール１２４との間で共用し、送受信用アンテナについては第１無線通信モジュール１２３および第２無線通信モジュール１２４にそれぞれ個別に接続するというアンテナ接続形態が用いられる。受信用アンテナ素子に接続されるのは第１無線通信モジュール１２３および第２無線通信モジュール１２４それぞれの受信部のみとなり、第１無線通信モジュール１２３および第２無線通信モジュール１２４の各々の送信部は専用の送受信アンテナに接続され、受信用アンテナ素子には接続されないので、一方の無線通信モジュールから他方の無線通信モジュールへの送信信号の入り込みを防止しつつ、必要なアンテナ本数を１本削減することができる。以下、具体的な構成を説明する。
【００２６】
すなわち、ディスプレイユニット１２内には、第１の送受信用アンテナ素子１と、第２の送受信用アンテナ素子２と、受信用アンテナ素子３とが配置されている。
【００２７】
第１の送受信用アンテナ素子１は、第１無線通信モジュール１２３によって使用される送受信用アンテナである。この第１の送受信用アンテナ素子１は、その共振周波数帯域が、第１無線通信モジュール１２３用の周波数帯域（例えば800M〜2.2GHz）を含むように構成されている。第１無線通信モジュール１２３は、ケーブル（アンテナケーブル）１Ａを介して第１の送受信用アンテナ素子１に接続されている。このケーブル１Ａはヒンジ部１８Ａ内に設けられた開口を通してベースユニット１１内からディスプレイユニット１２内に導出されている。
【００２８】
第２の送受信用アンテナ素子２は、第２無線通信モジュール１２４によって使用される送受信用アンテナである。第２の送受信用アンテナ素子２は、その共振周波数帯域が、第２無線通信モジュール１２４用の周波数帯域（例えば2.4GHz〜2.5GHz、5.15GHz〜5.74GHz）を含むように構成されている。第２無線通信モジュール１２４は、ケーブル（アンテナケーブル）１Ｂを介して第２の送受信用アンテナ素子２に接続されている。このケーブル１Ｂはヒンジ部１８Ａ内に設けられた開口を通してベースユニット１１内からディスプレイユニット１２内に導出されている。
【００２９】
受信用アンテナ素子３は、第１無線通信モジュール１２３と第２無線通信モジュール１２４とによって共用される受信用共用アンテナである。受信用アンテナ素子３は広帯域アンテナであり、その共振周波数帯域が、第１無線通信モジュール１２３用の周波数帯域（例えば800M〜2.2GHz）と第２無線通信モジュール１２４用の周波数帯域（例えば2.4GHz〜2.5GHz、5.15GHz〜5.74GHz）との双方を含むように構成されている。
【００３０】
第１無線通信モジュール１２３および第２無線通信モジュール１２４は、分配器１２５を介して受信用アンテナ素子３に接続されている。
【００３１】
すなわち、分配器１２５は、ケーブル（アンテナケーブル）１Ｃを介して受信用アンテナ素子３に接続されている。ケーブル（アンテナケーブル）１Ｃは、ヒンジ部１８Ａ内に設けられた開口を通してベースユニット１１内からディスプレイユニット１２内に導出されている。分配器１２５は、さらに、ケーブル（アンテナケーブル）２Ａを介して第１無線通信モジュール１２３に接続されると共に、ケーブル（アンテナケーブル）２Ｂを介して第２無線通信モジュール１２４に接続されている。分配器１２５は、受信用アンテナ素子３からの信号をケーブル１Ｃを介して受信し、その受信信号をケーブル２Ａ，ＡＢを介して第１無線通信モジュール１２３および第２の無線通信モジュール１２４に分配する。
【００３２】
このように、受信用アンテナ素子３のみを分配器１２５を介して第１無線通信モジュール１２３と第２無線通信モジュール１２４との間で共用し、第１無線通信モジュール１２３と第１の送受信用アンテナ素子１との間、および第２無線通信モジュール１２４と第４の送受信用アンテナ素子２との間は、それぞれケーブル１Ａ，１Ｂによって直接的に接続することにより、一方の無線通信モジュールからの送信信号が他方の無線通信モジュールに入る込むことを防止することができるので、信号の漏れによる不具合を招くことなく、アンテナ素子の個数を低減することが可能となる。
【００３３】
また、分配器１２５はベースユニット１１内に設けられているので、分配器１２５をディスプレイユニット１２内に配置する構成に比し、アンテナケーブルの総ケーブル長を短くすることができる。
【００３４】
一般に、アンテナを広帯域化するほど、そのアンテナの利得は低下する傾向となる。また分配器１２５を挟むと、その分配器１２５によるロスも発生する。しかし、第１無線通信モジュール１２３および第２無線通信モジュール１２４は受信用アンテナ素子３のみならず、それぞれ専用の送受信用アンテナ素子（第１の送受信用アンテナ素子１、第２の送受信用アンテナ素子２）にも接続されている。したがって、第１無線通信モジュール１２３および第２無線通信モジュール１２４を広帯域の受信用アンテナ素子３に分配器１２５を介して接続しても、受信信号レベルの低下に起因する影響は少ない。
【００３５】
次に、図２を参照して、本コンピュータ１０のシステム構成について説明する。
【００３６】
本コンピュータ１０は、ＣＰＵ１１１、ノースブリッジ１１２、主メモリ１１３、グラフィックスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、第１無線通信モジュール１２３、第２無線通信モジュール１２４、分配器１２５、およびエンベデッドコントローラ／キーボードコントローラＩＣ（ＥＣ／ＫＢＣ）１２６等を備えている。
【００３７】
ＣＰＵ１１１は本コンピュータ１０の動作を制御するプロセッサであり、ハードディスクドライブ（ＨＤＤ）１２１から主メモリ１１３にロードされる、オペレーティングシステム（ＯＳ）および各種アプリケーションプログラムを実行する。またＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００３８】
ノースブリッジ１１２は、ＣＰＵ１１１のローカルバスとサウスブリッジ１１９との間を接続するブリッジデバイスである。またノースブリッジ１１２は、ＡＧＰ（Accelerated Graphics Port）バスなどを介してグラフィクスコントローラ１１４との通信を実行する機能も有している。
【００３９】
グラフィクスコントローラ１１４は、本コンピュータ１０のディスプレイモニタとして使用されるＬＣＤ１７を制御する表示コントローラである。
【００４０】
サウスブリッジ１１９は各種Ｉ／Ｏデバイスを制御するブリッジデバイスである。サウスブリッジ１１９には、PCI Expressのようなバス２０１を介して第１無線通信モジュール１２３が接続されている。第１無線通信モジュール１２３は第１の送受信用アンテナ素子１に接続されると共に、分配器１２５を介して受信用アンテナ素子３に接続されている。また、サウスブリッジ１１９には、PCI Expressのようなバス２０２を介して第２無線通信モジュール１２４も接続されている。第２無線通信モジュール１２４は第２の送受信用アンテナ素子２に接続されると共に、分配器１２５を介して受信用アンテナ素子３に接続されている。もし第２無線通信モジュール１２４がIEEE 802.11n規格に従った無線通信を実行する無線通信モジュールであるならば、ディスプレイユニット１２内には第２の送受信用アンテナ素子２’がさらに配置され、そして第２無線通信モジュール１２４は、２本の第２の送受信用アンテナ素子２，２’に接続されると共に、分配器１２５を介して受信用アンテナ素子３に接続されることになる。
【００４１】
エンベデッドコントローラ／キーボードコントローラＩＣ（ＥＣ／ＫＢＣ）１２５は、電力管理のためのエンベデッドコントローラと、キーボード（ＫＢ）１３およびタッチパッド１６を制御するためのキーボードコントローラとが集積された１チップマイクロコンピュータである。
【００４２】
次に、図３を参照して、第１無線通信モジュール１２３および第２無線通信モジュール１２４それぞれの構成を説明する。
【００４３】
第１無線通信モジュール１２３は、例えばmini PCI Express カードのような拡張カードから構成されており、システム基板２００上に設けられたバススロット５０１に接続される。バススロット５０１は、システム基板２００上に設けられた上述のバス２０１に接続されている。システム基板２００上には、上述のＣＰＵ１１１、ノースブリッジ１１２、主メモリ１１３、グラフィックスコントローラ１１４、サウスブリッジ１１９、ＢＩＯＳ−ＲＯＭ１２０、およびエンベデッドコントローラ／キーボードコントローラＩＣ（ＥＣ／ＫＢＣ）１２５等の各種電子部品が実装されている。
【００４４】
第１無線通信モジュール１２３は、送信部３０１と受信部３０２とを含んでいる。送信部３０１および受信部３０２は、第１無線通信モジュール１２３と第１の送受信用アンテナ素子１との間を接続するケーブル１Ａを介して、第１の送受信用アンテナ素子１にそれぞれ接続されている。また、受信部３０２は、第１無線通信モジュール１２３と分配器１２５との間を接続するケーブル２Ａを介して、分配器１２５に接続されている。
【００４５】
第２無線通信モジュール１２４も、mini PCI Express カードのような拡張カードから構成されており、システム基板２００上に設けられたバススロット５０２に接続される。バススロット５０２は、システム基板２００上に設けられた上述のバス２０２に接続されている。
【００４６】
第２無線通信モジュール１２４は、送信部４０１と受信部４０２とを含んでいる。送信部４０１および受信部４０２は、第２無線通信モジュール１２４と第２の送受信用アンテナ素子２との間を接続するケーブル１Ｂを介して、第２の送受信用アンテナ素子２にそれぞれ接続されている。また、受信部４０２は、第２無線通信モジュール１２４と分配器１２５との間を接続するケーブル２Ｂを介して、分配器１２５に接続されている。
【００４７】
なお、第２無線通信モジュール１２４がIEEE 802.11nに対応する無線通信モジュールである場合には、ディスプレイユニット１２内には第３の送受信用アンテナが配置され、送信部４０１および受信部４０２の各々は、第３の送受信用アンテナと第２無線通信モジュール１２４との間を接続するケーブルを介して、第３の送受信用アンテナにも接続されることになる。
【００４８】
図４は、分配器１２５の構成例を示している。
【００４９】
分配器１２５は、２つのフィルタ回路６０１，６０２を備えている。フィルタ回路６０１はローパスフィルタ（ＬＰＦ）であり、受信用アンテナ素子３からの信号の内で第１無線通信モジュール１２３に対応する周波数帯域の上限値（例えば2.2GHz）以下の周波数成分を通過させて第１無線通信モジュール１２３に出力する。
【００５０】
フィルタ回路６０２はハイパスフィルタ（ＨＰＦ）であり、受信用アンテナ素子３からの信号の内で第２無線通信モジュール１２３に対応する周波数帯域の下限値（例えば2.2GHz）以上の周波数成分を通過させて第２無線通信モジュール１２４に出力する。
【００５１】
以上のように、本コンピュータ１０においては、第１無線通信モジュール１２３と第２無線通信モジュール１２４との間で受信用アンテナ素子３を共用することで、アンテナ１本分だけ部品数および配置スペースを省略することができる。よって、ディスプレイユニット１２の例えば上端部に必要な全てのアンテナ素子を配置することが可能となる。
【００５２】
また、ヒンジ部内を通過するアンテナケーブルの本数も削減することができる。また、受信用アンテナ素子３のみを共用し、送受信用アンテナは個別に第１無線通信モジュール１２３および第２無線通信モジュール１２４にそれぞれ接続されているので、一方の無線通信モジュールからの送信信号が他方の無線通信モジュールに直接的に入り込むことを防止することができる。
【００５３】
なお、本実施形態では、ディスプレイユニット１２が２つのヒンジを介してベースユニット１１に支持される構成を例示したが、ディスプレイユニット１２を１つのヒンジのみを介してベースユニット１１に支持するようにしてもよい。
【００５４】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００５５】
【図１】本発明の一実施形態に係る情報処理装置の外観を示す斜視図。
【図２】同実施形態の情報処理装置のシステム構成を示すブロック図。
【図３】同実施形態の情報処理装置に設けられた、第１無線通信モジュールおよび第２無線通信モジュールそれぞれの構成例を説明するための図。
【図４】同実施形態の情報処理装置に設けられた分配器の構成を説明するための図。
【符号の説明】
【００５６】
１，２…送受信用アンテナ素子、３…受信用アンテナ素子、１２３…第１無線通信モジュール、１２４…第２無線通信モジュール、１２５…分配器、１Ａ，１Ｂ，１Ｃ，２Ａ，２Ｂ…ケーブル、１１…ベースユニット、１２…ディスプレイユニット。
【図１】
2008160421.tif 000003
【図２】
2008160421.tif 000004
【図３】
2008160421.tif 000005
【図４】
2008160421.tif 000006